(57)【要約】【課題】アンテナ、チューナ、復調器及び誤り訂正回路を２系統持たなくとも常に良好な受信状態を保つことができ、更にアンテナを含めても機器全体が大きくならないデジタルテレビ受信機を提供する。【解決手段】アンテナとチューナと復調器と誤り訂正回路を２系統用意するのではなく、１系統のみ用意し、他の１系統については他のデジタルテレビ受信機２００のものを利用し、他機から送信されるトランスポートストリームパケットと自機１００が受信しているトランスポートストリームパケットのうちいずれかを選択するようにして、擬似的なダイバーシチを行うようにする。これにより、常に良好な受信状態を保つことができ、またアンテナとチューナと復調器と誤り訂正回路が１系統分で済むことから小型化及び低消費電力化が図れる。【選択図】図１
2005109664.tif 000002
【特許請求の範囲】
【請求項１】
他のデジタルテレビ受信機が受信しているトランスポートストリームパケットを当該他機と無線通信を行うことにより取得する無線通信手段と、
自機が受信しているトランスポートストリームパケットと前記無線通信手段にて受信されている前記他機からのトランスポートストリームパケットそれぞれのパケットヘッダに含まれるパケット識別子を比較し、これらが等しいときに自機が受信しているトランスポートストリームパケットと前記他機からのトランスポートストリームパケットのうちいずれかを選択する選択手段と、
前記選択手段で選択された方のトランスポートストリームパケットから映像データと音声データを分離し復号する復号手段と、
前記復号手段で復号された映像信号と音声信号から映像と音声を再生する映像及び音声再生手段と、
を備えたデジタルテレビ受信機。
【請求項２】
前記選択手段は、自機が受信しているトランスポートストリームパケットと前記無線通信手段にて受信されている前記他機からのトランスポートストリームパケットそれぞれのパケットヘッダに含まれる連続性指標情報を用いて前記自機と前記他機それぞれが受信しているトランスポートストリームパケットの同期をとり、その状態でそれぞれのトランスポートストリームパケットのパケットヘッダに含まれるトランスポートエラー指標の情報を基に、トランスポートストリームパケットのいずれかを選択する請求項１に記載のデジタルテレビ受信機。
【請求項３】
前記無線通信手段は、自機が受信しているトランスポートストリームパケットを前記他機に向けて送信する請求項１又は請求項２のいずれかに記載のデジタルテレビ受信機。
【請求項４】
前記無線通信手段は、自機ユーザが希望した番組の情報が入ったトランスポートストリームパケットのパケットヘッダに含まれるパケット識別子を前記他機に向けて送信する請求項３に記載のデジタルテレビ受信機。
【請求項５】
前記無線通信手段は、前記他機から送信されたトランスポートストリームパケットのパケット識別子を受信すると、そのパケット識別子と同一のパケット識別子が含まれるパケットヘッダを持つトランスポートストリームパケットを前記他機に向けて送信する請求項３又は請求項４のいずれかに記載のデジタルテレビ受信機。
【請求項６】
前記無線通信手段は、ブルートゥース規格による無線通信方式で前記他機との間で無線通信を行う請求項１乃至請求項５のいずれかに記載のデジタルテレビ受信機。
【請求項７】
他のデジタルテレビ受信機が受信しているトランスポートストリームパケットを該他機と無線通信を行うことで取得するステップと、
取得した前記他機からのトランスポートリームパケットのパケットヘッダに含まれるパケット識別子と自機が受信しているトランスポートストリームパケットのパケットヘッダに含まれるパケット識別子とが等しい場合に、前記自機が受信しているトランスポートストリームパケットと前記他機からのトランスポートストリームパケットのうちいずれかを選択するステップと、
選択したトランスポートストリームパケットから映像と音声を再生するステップと、
を備えたデジタルテレビ放送受信方法。
【発明の詳細な説明】
【技術分野】
【０００１】
本発明は、デジタル変調して送信されたテレビ放送を受信して復調するデジタルテレビ受信機に関する。
【背景技術】
【０００２】
従来、上述したデジタルテレビ受信機として、ゴーストの影響が大きい環境での受信性能の向上を図ったものが提案されている（例えば、特許文献１参照）。
【０００３】
図７は、上記特許文献１で開示されたデジタルテレビ受信機の概略構成を示すブロック図である。この図に示す従来のデジタルテレビ受信機７００は、アンテナ、チューナ、復調器、誤り訂正回路を２系統持つダイバーシチ受信方式を採用したものである。この場合、アンテナ７０１、チューナ７０２、復調器７０３及び誤り訂正回路７０４が第１系統を構成し、アンテナ８０１、チューナ８０２、復調器８０３及び誤り訂正回路８０４が第２系統を構成する。第１系統と第２系統の各部は同一の性能を有している。アンテナ７０１とアンテナ８０１は離間配置される。
【０００４】
ＴＳＰエラー検出器７０５は、誤り訂正回路７０４及び８０４から出力されるＭＰＥＧ２トランスポートストリームパケットのエラーフラグに基づいて誤りの有無を判定し、誤りの無いパケットのみを通過させるようにデータセレクタ７０６の切り替えを行う。誤りの無いパケットはＭＰＥＧデコード回路７０７に入力されて、デジタルテレビ放送で用いられている映像及び音声の符号化方式であるＭＰＥＧ２の復号が行われる。復号された映像及び音声信号は映像及び音声出力回路７０８に入力されて、映像が液晶パネル等の表示器にて表示され、音声がスピーカより出力される。アンテナ、チューナ、復調器、誤り訂正回路を２系統持つことで２つのアンテナ７０１、８０１で受信したデータのうち良好な受信状態にある方をリアルタイムに選択でき、常に良好な受信状態を保つことできるという利点を有している。
【０００５】
【特許文献１】特開２００１−１３６１１３号公報（第３頁、第４頁、図１）
【発明の開示】
【発明が解決しようとする課題】
【０００６】
しかしながら、上述した従来のデジタルテレビ受信機においては、２つのアンテナで受信したデータのうち良好な受信状態にある方をリアルタイムに選択できるという利点はあるものの、アンテナ、チューナ、復調器及び誤り訂正回路を２系統持たなければならないことから、例えば車両のような移動体に搭載可能なデジタルテレビ受信機を実現する場合に小型化及び低消費電力化が困難であるという問題がある。また、２つのアンテナを空間的に離さなければダイバーシチ受信の効果が得られないので、これらのアンテナを含めると機器全体が大きなものとなってしまうという問題がある。
【０００７】
本発明は、係る点に鑑みてなされたものであり、アンテナ、チューナ、復調器及び誤り訂正回路を２系統持たなくとも常に良好な受信状態を保つことができ、更にアンテナを含めても機器全体が大きくならないデジタルテレビ受信機を提供することを目的とする。
【課題を解決するための手段】
【０００８】
上記課題を解決するために、本発明のデジタルテレビ受信機は、他のデジタルテレビ受信機が受信しているトランスポートストリームパケットを当該他機と無線通信を行うことにより取得する無線通信手段と、自機が受信しているトランスポートストリームパケットと前記無線通信手段にて受信されている前記他機からのトランスポートストリームパケットそれぞれのパケットヘッダに含まれるパケット識別子を比較し、これらが等しいときに自機が受信しているトランスポートストリームパケットと前記他機からのトランスポートストリームパケットのうちいずれかを選択する選択手段と、前記選択手段で選択された方のトランスポートストリームパケットから映像データと音声データを分離し復号する復号手段と、前記復号手段で復号された映像信号と音声信号から映像と音声を再生する映像及び音声再生手段と、を備えている。
【０００９】
この構成によれば、自機が受信しているトランスポートストリームパケットと同じトランスポートストリームパケットを他のデジタルテレビ受信機から無線通信を行って取得し、この取得中において常時これら２系統のトランスポートストリームパケットのうち、いずれかを選択する擬似的なダイバーシチを行う。これにより、常に良好な受信状態を保つことができる。また、アンテナとチューナと復調器と誤り訂正回路が１系統分で済むことから小型及び低消費電力化が図れる。
【００１０】
また、アンテナとチューナと復調器と誤り訂正回路を１系統しか持たないダイバーシチ受信機能の無い従来のデジタルテレビ受信機でも僅かな回路の追加のみで擬似的なダイバーシチ受信機能を実現でき、複数台のデジタルテレビ受信機間で相互に受信品質を改善することが可能となる。
【００１１】
また、本発明のデジタルテレビ受信機は、上述したデジタルテレビ受信機において、前記選択手段は、自機が受信しているトランスポートストリームパケットと前記無線通信手段にて受信されている前記他機からのトランスポートストリームパケットそれぞれのパケットヘッダに含まれる連続性指標情報を用いて前記自機と前記他機それぞれが受信しているトランスポートストリームパケットの同期をとり、その状態でそれぞれのトランスポートストリームパケットのパケットヘッダに含まれるトランスポートエラー指標の情報を基に、トランスポートストリームパケットのいずれかを選択してもよい。
【００１２】
この構成によれば、自機が受信しているトランスポートストリームパケットと他機から取得したトランスポートストリームパケットをパケットレベルで同期をとったうえでいずれかを選択するので、精度の良いダイバーシチ受信が可能となり、常に良好な画質及び音質で映像及び音声を楽しむことができる。
【００１３】
また、本発明のデジタルテレビ受信機は、上述したデジタルテレビ受信機において、前記無線通信手段は、自機が受信しているトランスポートストリームパケットを前記他機に向けて送信してもよい。
【００１４】
この構成によれば、自機が受信しているトランスポートストリームパケットを他機に向けて送信するので、他機が自機同様の擬似的ダイバーシチ機能を持っている場合、他機もその擬似的ダイバーシチ受信を行って常に良好な画質及び音質で映像及び音声を楽しむことができる。
【００１５】
また、本発明のデジタルテレビ受信機は、上述したデジタルテレビ受信機において、前記無線通信手段は、自機ユーザが希望した番組の情報が入ったトランスポートストリームパケットのパケットヘッダに含まれるパケット識別子を前記他機に向けて送信してもよい。
【００１６】
この構成によれば、自機が受信しているトランスポートストリームパケットのパケット識別子を他機に通知するので、自機が受信している番組と他機が受信している番組が異なる場合でもトランスポートストリームパケットレベルでダイバーシチ受信を行うことが可能となる。
【００１７】
また、本発明のデジタルテレビ受信機は、上述したデジタルテレビ受信機において、前記無線通信手段は、前記他機から送信されたトランスポートストリームパケットのパケット識別子を受信すると、そのパケット識別子と同一のパケット識別子が含まれるパケットヘッダを持つトランスポートストリームパケットを前記他機に向けて送信してもよい。
【００１８】
この構成によれば、他機から送信されたトランスポートストリームパケットのパケット識別子を受信することで、そのパケット識別子と同一のパケット識別子が含まれるパケットヘッダを持つトランスポートストリームパケットを送信する他機に向けて送信するので、自機と他機が互いに異なる番組を受信しているときでも、相互にトランスポートストリームパケットレベルでダイバーシチ受信を行うことが可能となる。
【００１９】
また、本発明のデジタルテレビ受信機は、上述したデジタルテレビ受信機において、前記無線通信手段は、ブルートゥース規格による無線通信方式で前記他機との間で無線通信を行ってもよい。
【００２０】
この構成によれば、他機との間の無線通信にブルートゥース規格を用いた通信方式（使用周波数が２．４ＧＨｚ帯）を用いたので、他機から送信されるトランスポートストリームパケットを受信するためのアンテナの小型化が図れ、このアンテナの機器全体の大きさに与える影響を最小限に抑えることができる。
【００２１】
また、本発明のデジタルテレビ放送受信方法は、他のデジタルテレビ受信機が受信しているトランスポートストリームパケットを該他機と無線通信を行うことで取得するステップと、取得した前記他機からのトランスポートリームパケットのパケットヘッダに含まれるパケット識別子と自機が受信しているトランスポートストリームパケットのパケットヘッダに含まれるパケット識別子とが等しい場合に、前記自機が受信しているトランスポートストリームパケットと前記他機からのトランスポートストリームパケットのうちいずれかを選択するステップと、選択したトランスポートストリームパケットから映像と音声を再生するステップと、を備えている。
【００２２】
この方法によれば、自機が受信しているトランスポートストリームパケットと同じトランスポートストリームパケットを他のデジタルテレビ受信機から無線を利用して取得し、この取得中において常時これら２系統のトランスポートストリームパケットのうち、いずれかを選択する擬似的なダイバーシチを行うので、常に良好な受信状態を保つことができ、また、アンテナとチューナと復調器と誤り訂正回路が１系統分で済むことから小型及び低消費電力化が図れる。
【００２３】
また、アンテナとチューナと復調器と誤り訂正回路を１系統しか持たないダイバーシチ受信機能の無い従来のデジタルテレビ受信機でも僅かな回路の追加のみで擬似的なダイバーシチ受信機能を実現でき、複数台のデジタルテレビ受信機間で相互に受信品質を改善することが可能となる。
【発明の効果】
【００２４】
本発明によれば、アンテナとチューナと復調器と誤り訂正回路を２系統用意するのではなく、１系統のみ用意し、他の１系統については他のデジタルテレビ受信機のものを利用し、他機から送信されるトランスポートストリームパケットと自機が受信しているトランスポートストリームパケットのうち誤りの無い方を選択するようにして擬似的なダイバーシチを行うようにしたので、常に良好な受信状態を保つことができ、またアンテナとチューナと復調器と誤り訂正回路が１系統分で済むことから小型化及び低消費電力化が図れる。更に、アンテナとチューナと復調器と誤り訂正回路を１系統しか持たないダイバーシチ受信機能の無い従来のデジタルテレビ受信機でも僅かな回路の追加のみで擬似的なダイバーシチ受信機能を実現でき、複数台のデジタルテレビ受信機間で相互に受信品質を改善することが可能となる。
【００２５】
また、本発明によれば、他機との間の無線通信にブルートゥース規格を用いた通信方式（使用周波数が２．４ＧＨｚ帯）を用いたので、他機から送信されるトランスポートストリームパケットを受信するためのアンテナの小型化が図れ、このアンテナの機器全体の大きさに与える影響を最小限に抑えることができる。
【発明を実施するための最良の形態】
【００２６】
以下、本発明を実施するための最良の形態について、図面を参照して詳細に説明する。
【００２７】
（実施の形態１）
図１は、本発明の実施の形態１のデジタルテレビ受信機の概略構成を示すブロック図である。
【００２８】
図１において、本実施の形態のデジタルテレビ受信機１００は、アンテナ１０１及び１１３と、チューナ１０２と、復調器１０３と、誤り訂正回路１０４と、ＴＳデコード回路１０５と、パケットエラー検出回路１０６及び１０８と、連続性指標検出回路１０７及び１０９と、ＴＳ選択回路１１０と、デコード回路１１１と、映像及び音声出力回路１１２と、無線通信装置１１４とを備えている。なお、無線通信装置１１４と図示せぬ制御マイコンが無線通信手段を構成する。また、ＴＳ選択回路１１０が選択手段に対応し、デコード回路１１１が復号手段に対応し、映像及び音声出力回路１１２が映像及び音声再生手段に対応する。
【００２９】
チューナ１０２は、本機ユーザが希望する放送波を選択し、選択した放送波のＯＦＤＭ（Orthogonal Frequency Division Multiplexing）信号を復調器１０３に入力する。復調器１０３はチューナ１０２でチャネル選局（放送波選択）されて得られたＯＦＤＭ信号を復調してトランスポートストリーム（以下、ＴＳと言う）を出力する。誤り訂正回路１０４は、テレビ放送局側の送信装置（図示略）で行われた誤り訂正のための処理により、復調器１０３から出力されるＴＳに対して誤り検出及び誤り訂正を行う。
【００３０】
ＴＳデコード回路１０５は、誤り訂正回路１０４で誤り検出及び誤り訂正されたＴＳからパケット識別子(以下、ＰＩＤと言う)を参照して本機ユーザ所望のサービス情報が入ったトランスポートストリームパケット（以下、ＴＳパケットと言う）を抽出する。ここで、ＴＳはＴＳパケットが複数個集まって構成されるものであり、各ＴＳパケットはパケットヘッダとアダプテーションフィールドとペイロードで構成される。パケットヘッダにはＴＳパケットの種類を識別するためのＰＩＤ、トランスポートエラー指標情報、連続性指標情報が含まれている。ＰＩＤを参照することで本機ユーザ所望のサービス情報が入ったＴＳパケットを抽出することができる。
【００３１】
パケットエラー検出回路１０６は、ＴＳデコード回路１０５で抽出されたＴＳパケット（すなわち、本機ユーザ所望のサービス情報が入ったＴＳパケット）のパケットヘッダに含まれるトランスポートエラー指標情報を参照して当該ＴＳパケットの誤りの有無を検出する。連続性指標情報検出回路１０７は、ＴＳデコード回路１０５で抽出されたＴＳパケットのパケットヘッダに含まれる連続性指標情報を検出する。
【００３２】
パケットエラー検出回路１０８は、無線通信装置１１４で受信されたＴＳパケット（他のデジタルテレビ受信機の無線通信装置からはＴＳパケットが送信される）のパケットヘッダに含まれるトランスポートエラー指標情報を参照して当該ＴＳパケットの誤りの有無を検出する。連続性指標情報検出回路１０９は、無線通信装置１１４で受信されたＴＳパケットのパケットヘッダに含まれる連続性指標情報を検出する。ＴＳ選択回路１１０は、連続性指標検出回路１０７と連続性指標検出回路１０９それぞれにて検出された連続性指標情報を基にＴＳデコード回路１０５から出力されるＴＳパケットと無線通信装置１１４にて受信されたＴＳパケットをパケットレベルで同期をとる。そして、同期をとった２つのＴＳパケットの誤り検出結果により、誤りの無い方を選択する。
【００３３】
デコード回路１１１は、ＴＳ選択回路１１０で選択された誤りの無い方のＴＳパケットから音声データと映像データとを分離し、更に分離した音声データと映像データに対して復号を行ってアナログの音声信号と映像信号を再生する。映像及び音声出力回路１１２は、図示せぬ液晶表示器とスピーカを含み、デコード回路１１１で再生された音声信号によりスピーカより音声出力を行い、また再生された映像信号により液晶表示器上にて映像出力を行う。
【００３４】
無線通信装置１１４は、ブルートゥース（Bluetooth）規格を用いた無線通信を行う機能を有するものであり、スペクトラム拡散により変調された無線信号を逆拡散して元の信号を再生する。この場合、無線通信装置１１４は、他のデジタルテレビ受信機が持つ無線通信装置から送信される無線信号を受信し、受信信号からＴＳパケットを復調し、復調したＴＳパケットをパケットエラー検出回路１０８、連続性指標検出回路１０９及びＴＳ選択回路１１０それぞれに入力する。
【００３５】
上記パケットエラー検出回路１０６及び１０８と、連続性指標検出回路１０７及び１０９と、ＴＳ選択回路１１０と、アンテナ１１３と、無線通信装置１１４とが本発明の特徴となる部分であり、この部分にて他のデジタルテレビ受信機から送信される、本機ユーザ所望のＰＩＤのＴＳパケットと同一ＰＩＤのＴＳパケットを受信し、更に受信したＴＳパケットの誤りの有無をパケットエラー検出回路１０８で検出するとともに、当該ＴＳパケットのパケットヘッダの連続性指標情報を連続性指標情報検出回路１０９にて検出する。
【００３６】
また、ＴＳデコード回路１０５から出力されるＴＳパケットの誤りの有無をパケットエラー検出回路１０６で検出するとともに、当該ＴＳパケットのパケットヘッダの連続性指標情報を連続性指標情報検出回路１０７にて検出する。そして、ＴＳ選択回路１１０で連続性指標検出回路１０７と連続性指標検出回路１０９それぞれにおいて検出された連続性指標情報を基にＴＳデコード回路１０５から出力されるＴＳパケットと無線通信装置１１４から出力されるＴＳパケットをパケットレベルで同期をとり、同期をとった２つのＴＳパケットの誤り検出結果により、誤りの無い方を選択する。
【００３７】
すなわち、本機（デジタルテレビ受信機）１００は、本機１００が受信できる範囲内に存在する他のデジタルテレビ受信機が受信した本機ユーザ所望のＰＩＤと同一のＰＩＤのＴＳパケットを無線通信装置１１４にて受信し、受信したＴＳパケットと本機１００が受信したＴＳパケット（本機ユーザ所望のＰＩＤのＴＳパケット）のうち、誤りの無い方を選択する擬似的なダイバーシチ受信を行うものであり、これにより従来のようにアンテナ１０１、チューナ１０２、復調器１０３及び誤り訂正回路１０４を２系統持たなくても良好な受信を行うことができる。また、アンテナ１０１、チューナ１０２、復調器１０３及び誤り訂正回路１０４が１系統分で済むことから本機１００の小型化及び低消費電力化が図れる。勿論、ブルートゥース規格で使用される周波数が２．４ＧＨｚ帯であることからアンテナ１１３が小型化できるので、このアンテナ１１３の機器全体の大きさに与える影響を最小限に抑えることができる。
【００３８】
次に、デジタルテレビ受信機１００の擬似的ダイバーシチ受信を援助するためのＴＳパケット送信機能を有するデジタルテレビ受信機について説明する。図２は、当該デジタルテレビ受信機２００の概略構成を示すブロック図である。なお、この図において図１のデジタルテレビ受信機１００と共通する部分については同一符号を付している。
【００３９】
デジタルテレビ受信機２００は、図２に示すように、アンテナ１０１、チューナ１０２、復調器１０３及び誤り訂正回路１０４を１系統持ち、またデジタルテレビ受信機１００との間でブルートゥース規格を用いた無線通信を行うためのアンテナ２０１及び無線通信装置２０２を持っており、ＴＳデコード回路１０５から出力されるＴＳパケットをスペクトラム拡散変調にて無線信号に変換して送信する。
【００４０】
次に、本実施の形態のデジタルテレビ受信機１００の動作について説明する。本機ユーザが希望するチャネルを決めてチャネル選択操作を行うと、図示せぬ制御マイコンから当該チャネルを受信するための周波数データがチューナ１０２に入力される。これによりチューナ１０２からは本機ユーザが希望するチャネルの放送波のＯＦＤＭ信号が出力される。そして、チューナ１０２から出力されたＯＦＤＭ信号が復調器１０３にてデジタルデータに復調される。そして、復調されたデジタルデータが誤り訂正回路１０４にて送信局側で施された誤り訂正のための処理により誤り検出及び誤り訂正が行われ、ＭＰＥＧ２トランスポートストリームのフォーマットでＴＳが出力される。この際、誤り訂正回路１０４で訂正が不可能になるほどの誤りが発生した場合は、ＴＳのＴＳパケットのパケットヘッダに当該パケットが誤りを含んでいることを示すフラグ（トランスポートエラー指標）がセットされる。
【００４１】
誤り訂正回路１０４を通過したＴＳがＴＳデコード回路１０５に入力されて、そのパケットヘッダに含まれるＰＩＤが確認されて本機ユーザの希望するチャネルが送られてくるＴＳパケットのみが選択される。そして、選択されたＴＳパケットがパケットエラー検出回路１０６と連続性指標検出回路１０７とＴＳ選択回路１１０それぞれに入力される。パケットエラー検出回路１０６は、入力されたＴＳパケットのパケットヘッダに含まれるトランスポートエラー指標情報を参照して当該ＴＳパケットの誤りの有無を検出する。
【００４２】
連続性指標検出回路１０７は、ＴＳパケットの同期バイトを検出することでパケットの切れ目を検出し、所定の位置にあるトランスポートエラー指標を確認し、確認したトランスポートエラー指標をＴＳ選択回路１１０に入力する。また、連続性指標検出回路１０７は、ＴＳパケットの所定の位置にある連続性指標を抽出してそれをＴＳ選択回路１１０に入力する。ここで、連続性指標が同一ＰＩＤの値を持つＴＳパケットの順序を指定するものであるので、ＴＳ選択回路１１０はトランスポートエラー指標の情報と連続性指標の情報とを基に選択したＰＩＤのどの位置のパケットに誤りが発生しているかを知ることができる。
【００４３】
一方、無線通信装置１１４で受信された他のデジタルテレビ受信機２００からのＰＩＤのＴＳパケットがパケットエラー検出回路１０８と連続性指標検出回路１０９にそれぞれ入力されて、当該ＴＳパケットの誤りの有無が検出されるとともに、連続性指標情報が検出されてＴＳ選択回路１１０にどの位置のパケットに誤りが発生しているかが通知される。
【００４４】
デジタルテレビ受信機１００が選択したチャネルとデジタルテレビ受信機２００が選択したチャネルが等しいとき（すなわち、ＰＩＤが等しいとき）、デジタルテレビ受信機１００のＴＳ選択回路１１０では、デジタルテレビ受信機１００とデジタルテレビ受信機２００のアンテナ１０１の空間距離だけ離れた２つのＴＳパケットを受信したことになる。ＴＳ選択回路１１０は、それぞれのトランスポートエラー指標と連続性指標を参照することにより、誤りの無い方のＴＳパケットを選択する。例えば、デジタルテレビ受信機１００で受信した連続性指標「５」のＴＳパケットのトランスポートエラー指標フラグがセットされていて、デジタルテレビ受信機２００で受信した連続性指標「５」のＴＳパケットのトランスポートエラー指標フラグがセットされていなければ、デジタルテレビ受信機２００のＴＳパケットを選択するように動作する。
【００４５】
このような制御を行うことにより、デコード回路１１１にはデジタルテレビ受信機１００、デジタルテレビ受信機２００それぞれで受信したＴＳパケットのうち、誤りの無い方が入力されることになる。デコード回路１１１は映像、音声データ等の復号を行い、復号した信号を映像及び音声出力回路１１２に入力し、ここで最終的な映像及び音声が出力される。
【００４６】
このように、本実施の形態のデジタルテレビ受信機１００によれば、他のデジタルテレビ受信機２００から送信されてくるＴＳパケットを受信し、そのＴＳパケットと自機１００が受信しているＴＳパケットとを比較して誤りの無い方を選択するので、ダイバーシチ受信を行うための２系統の設備を必要とすることなく、１系統の設備で常に良好な受信状態を保つことが可能となる。また、１系統の設備で済むことからアンテナを含めても機器全体の小型化が図れる。また、２系統の設備を持つ場合と比較して低消費電力化が図れる。特に、無線通信装置１１４にブルートゥース規格を用いた通信方式（使用周波数が２．４ＧＨｚ帯）を用いることで、他機から送信されるトランスポートストリームパケットを受信するためのアンテナの小型化が図れ、このアンテナの機器全体の大きさに与える影響を最小限に抑えることができる。
【００４７】
また、従来のダイバーシチ受信機能の無いデジタルテレビ受信機でも僅かな回路追加のみで擬似的なダイバーシチ受信機能を実現でき、複数台の地上波デジタルテレビ受信機間で相互に受信品質を改善することが可能となる。
【００４８】
なお、上述した実施の形態では、デジタルテレビ受信機１００が自機と他機（デジタルテレビ受信機２００）の２系統の復調データを使用する場合であったが、複数台のデジタルテレビ受信機から無線通信装置を通じてＴＳデータを受信することも可能であり、その場合は更に誤りのあるパケットを出力する可能性は小さくなり、受信品質も更に向上する。また、この時、無線通信装置は複数個持つ必要はなく、１系統の近距離無線データ通信装置にて時分割でデータを扱う構成でよい。
【００４９】
（実施の形態２）
図３は、本発明の実施の形態２のデジタルテレビ受信機の概略構成を示すブロック図である。なお、この図において図１のデジタルテレビ受信機１００と共通する部分については同一符号を付してその説明を省略し、異なる部分について重点的に述べることとする。
【００５０】
本実施の形態のデジタルテレビ受信機３００は、ＴＳデコード回路１０５Ａの出力をＴＳ選択回路１１０の他に無線通信装置１１４Ａにも出力している点が図１のデジタルテレビ受信機１００と異なっている。無線通信装置１１４Ａは、ＴＳデコード回路１０５ＡからＴＳパケットが入力されるので、これをブルートゥース規格による通信方式で変調してアンテナ１１３から送信する。
【００５１】
このような構成を採ることにより、同じ構成を採る複数台のデジタルテレビ受信機間で、無線通信装置１１４Ａを使ってＴＳパケットを相互に交換し合うことで、全てのデジタルテレビ受信機で受信品質の向上を図ることが可能となる。
【００５２】
（実施の形態３）
図４は、本発明の実施の形態３のデジタルテレビ受信機の概略構成を示すブロック図である。なお、この図において図１のデジタルテレビ受信機１００と共通する部分については同一符号を付してその説明を省略し、異なる部分について重点的に述べることとする。
【００５３】
本実施の形態のデジタルテレビ受信機４００は、受信しているＰＩＤの情報を他のデジタルテレビ受信機５００（図５参照）に通知するためのＰＩＤ送信回路４０１を備えている点が図１のデジタルテレビ受信機１００と異なっている。この場合、説明するまでもないが、ＰＩＤ送信回路４０１からのＰＩＤは無線通信装置１１４Ｂから送信される。
【００５４】
一方、図５は、上記他のデジタルテレビ受信機５００の概略構成を示すブロック図である。このデジタルテレビ受信機５００は、受信しているＰＩＤのＴＳパケットを送信するとともに、デジタルテレビ受信機４００から送信されたＰＩＤのＴＳパケットを受信する機能を有しており、このＰＩＤの送受信が無線通信装置２０２Ａによって行われる。すなわち、無線通信装置２０２Ａは、デジタルテレビ受信機４００から送信されたＰＩＤのＴＳパケットを受信してＴＳデコード回路１０５に入力する一方、自機５００が受信しているＰＩＤのＴＳパケットを送信する。
【００５５】
このような構成を採ることにより、デジタルテレビ受信機４００とデジタルテレビ受信機５００の受信周波数が同じで、異なるＰＩＤでチャネルを選択している時にもデジタルテレビ受信機４００の受信品質を向上させることができる。
【００５６】
（実施の形態４）
図６は、本発明の実施の形態４のデジタルテレビ受信機の概略構成を示すブロック図である。なお、この図において図４のデジタルテレビ受信機４００と共通する部分については同一符号を付してその説明を省略し、異なる部分について重点的に述べることとする。
【００５７】
本実施の形態のデジタルテレビ受信機６００は、受信しているＰＩＤの情報を無線通信装置１１４Ｃから送信するＰＩＤ送信回路４０１と、誤り訂正回路１０４を通過したＴＳから抽出したＴＳパケットをＴＳ選択回路１１０に入力するとともに、無線通信装置１１４Ｃで受信された情報をもとに誤り訂正回路１０４を通過したＴＳから抽出したＰＩＤのＴＳパケットを無線通信装置１１４Ｃに入力するＴＳデコード回路１０５Ｃとを備えている点が図４のデジタルテレビ受信機４００と異なっている。
【００５８】
このような構成を採ることにより、同じ構成を採る複数台のデジタルテレビ受信機間で、受信周波数が共通であっても、異なるＰＩＤのチャネルを選択している時には無線通信装置１１４Ｃを使ってＰＩＤの情報とＴＳパケットを相互に交換し合うことで、全てのデジタルテレビ受信機で受信品質の向上を図ることができる。
【００５９】
なお、上述した各実施の形態においては、ブルートゥース規格を用いた通信方式にて自機と他機との間の通信を行うようにしたが、近所距離通信を行うことができる無線通信方式であれば、ブルートゥース規格による通信方式に限定されるものではない。
【産業上の利用可能性】
【００６０】
本発明は、常に良好な受信状態を保つことができ、また小型化及び低消費電力化が図れるといった効果を有し、車両等に搭載するデジタルテレビ受信機に適用が可能である。
【図面の簡単な説明】
【００６１】
【図１】本発明の実施の形態１のデジタルテレビ受信機の概略構成を示すブロック図
【図２】本発明の実施の形態１における他のデジタルテレビ受信機の概略構成を示すブロック図
【図３】本発明の実施の形態２のデジタルテレビ受信機の概略構成を示すブロック図
【図４】本発明の実施の形態３のデジタルテレビ受信機の概略構成を示すブロック図
【図５】本発明の実施の形態３における他のデジタルテレビ受信機の概略構成を示すブロック図
【図６】本発明の実施の形態４のデジタルテレビ受信機の概略構成を示すブロック図
【図７】従来のデジタルテレビ受信機の概略構成を示すブロック図
【符号の説明】
【００６２】
１００、２００、３００、４００、５００、６００  デジタルテレビ受信機
１０１、１１３、２０１  アンテナ
１０２  チューナ
１０３  復調器
１０４  誤り訂正回路
１０５、１０５Ａ、１０５Ｃ  ＴＳデコード回路
１０６、１０８  パケットエラー検出回路
１０７、１０９  連続性指標検出回路
１１０  ＴＳ選択回路
１１１  デコード回路
１１２  映像及び音声出力回路
１１４、１１４Ａ、１１４Ｂ、１１４Ｃ、２０２、２０２Ａ  無線通信装置
４０１  ＰＩＤ送信回路
【図１】
2005109664.tif 000003
【図２】
2005109664.tif 000004
【図３】
2005109664.tif 000005
【図４】
2005109664.tif 000006
【図５】
2005109664.tif 000007
【図６】
2005109664.tif 000008
【図７】
2005109664.tif 000009